(57)【要約】      （修正有）【課題】無駄な電力の発生をなくし、節電を図る。【解決手段】蛍光灯１１を有する照明ユニット１と、照明ユニット１に個々に取り付けられるスイッチユニット２とを備え、スイッチユニット２は、照明ユニット１の電線１４に接続され蛍光灯１１のＯＮ／ＯＦＦを切替えるプルダウンスイッチ２１と、プルダウンスイッチ２１に設けられ自身が引っ張られることでプルダウンスイッチ２１の動作を切替えるプルダウン紐２２と、プルダウン紐２２を挿通可能な挿通孔を有しプルダウンスイッチ２１を収納するパーティクル防止ボックス２３とを備えたクリーンルーム用照明器具を用いたクリーンルーム用照明方法であって、クリーンルーム内の蛍光灯１１を個々にＯＮ／ＯＦＦする。【選択図】図１
2014219111.tif 000002
【特許請求の範囲】
【請求項１】
照明光源を有するクリーンルーム用照明ユニットと、前記クリーンルーム用照明ユニットに個々に取り付けられるクリーンルーム用スイッチユニットとを備え、
前記クリーンルーム用スイッチユニットは、
前記クリーンルーム用照明ユニットの電線に接続され前記照明光源のＯＮ／ＯＦＦを切替えるプルダウンスイッチと、
前記プルダウンスイッチに設けられ自身が引っ張られることで当該プルダウンスイッチの動作を切替えるプルダウン紐と、
前記プルダウン紐を挿通可能な挿通孔を有し前記プルダウンスイッチを収納するパーティクル防止ボックスとを備えたクリーンルーム用照明器具を用いたクリーンルーム用照明方法であって、
前記クリーンルーム用の前記照明光源を個々にＯＮ／ＯＦＦする
ことを特徴とするクリーンルーム用照明方法。
【請求項２】
前記挿通孔からのパーティクルを受け止めるパーティクルブロックを備えた
ことを特徴とする請求項１記載のクリーンルーム用照明方法。
【請求項３】
前記パーティクルブロックは、前記プルダウン紐に構成された結び目である
ことを特徴とする請求項２記載のクリーンルーム用照明方法。
【請求項４】
前記結び目は、パーフェクションノットである
ことを特徴とする請求項３記載のクリーンルーム用照明方法。
【請求項５】
照明光源を有するクリーンルーム用照明ユニットと、前記クリーンルーム用照明ユニットに個々に取り付けられるクリーンルーム用スイッチユニットとを備えたクリーンルーム用照明器具であって、
前記クリーンルーム用スイッチユニットは、
前記クリーンルーム用照明ユニットの電線に接続され前記照明光源のＯＮ／ＯＦＦを切替えるプルダウンスイッチと、
前記プルダウンスイッチに設けられ自身が引っ張られることで当該プルダウンスイッチの動作を切替えるプルダウン紐と、
前記プルダウン紐を挿通可能な挿通孔を有し前記プルダウンスイッチを収納するパーティクル防止ボックスとを備えた
ことを特徴とするクリーンルーム用照明器具。
【請求項６】
前記挿通孔からのパーティクルを受け止めるパーティクルブロックを備えた
ことを特徴とする請求項５記載のクリーンルーム用照明器具。
【請求項７】
前記パーティクルブロックは、前記プルダウン紐に構成された結び目である
ことを特徴とする請求項６記載のクリーンルーム用照明器具。
【請求項８】
前記結び目は、パーフェクションノットである
ことを特徴とする請求項７記載のクリーンルーム用照明器具。
【請求項９】
照明光源を有するクリーンルーム用照明ユニットに個々に取り付けられるクリーンルーム用スイッチユニットであって、
前記クリーンルーム用照明ユニットの電線に接続され前記照明光源のＯＮ／ＯＦＦを切替えるプルダウンスイッチと、
前記プルダウンスイッチに設けられ自身が引っ張られることで当該プルダウンスイッチの動作を切替えるプルダウン紐と、
前記プルダウン紐を挿通可能な挿通孔を有し前記プルダウンスイッチを収納するパーティクル防止ボックスと
を備えたことを特徴とするクリーンルーム用スイッチユニット。
【発明の詳細な説明】
【技術分野】
【０００１】
この発明は、クリーンルームにおけるクリーンルーム用照明方法、クリーンルーム用照明器具およびクリーンルーム用スイッチユニットに関するものである。
【背景技術】
【０００２】
従来から、クリーンルーム用照明器具として、クリーンルーム内の有効高さを確保して安定した状態で天上フィルタ材を保持し、十分な照度と密閉度と清浄空気の安定した気流分布を確保し、かつ、管球の交換作業等のメンテナンスを容易に行うことを考慮したものが知られている（例えば特許文献１参照）。
【先行技術文献】
【特許文献】
【０００３】
【特許文献１】特開２００３−３２８４９４号公報
【発明の概要】
【発明が解決しようとする課題】
【０００４】
ここで、一般的な照明器具の構成を図８に示す。図８に示す照明器具では、蛍光灯（カバー無し）１０１に接続された紐１０２を引っ張ることで、蛍光灯１０１をＯＮ／ＯＦＦを切替え可能としている。しかしながら、特許文献１に開示されるようなクリーンルーム用照明器具では、クリーンルームにおいてパーティクルを出さないようにするため、電源のＯＮ／ＯＦＦは壁付きスイッチにより実施している。そして、クリーンルームは換気性能また１部屋の装置の台数が少ないことにより入室人数が少ないことから、１室に１人しかいない場合でも室内の多くの照明を点灯する必要があった。そのため、無駄な電力消費が発生するという課題があった。
【０００５】
この発明は、上記のような課題を解決するためになされたもので、無駄な電力の発生をなくし、節電を図ることができるクリーンルーム用照明方法、クリーンルーム用照明器具およびクリーンルーム用スイッチユニットを提供することを目的としている。
【課題を解決するための手段】
【０００６】
この発明に係るクリーンルーム用照明方法は、照明光源を有するクリーンルーム用照明ユニットと、クリーンルーム用照明ユニットに個々に取り付けられるクリーンルーム用スイッチユニットとを備え、クリーンルーム用スイッチユニットは、クリーンルーム用照明ユニットの電線に接続され照明光源のＯＮ／ＯＦＦを切替えるプルダウンスイッチと、プルダウンスイッチに設けられ自身が引っ張られることで当該プルダウンスイッチの動作を切替えるプルダウン紐と、プルダウン紐を挿通可能な挿通孔を有しプルダウンスイッチを収納するパーティクル防止ボックスとを備えたクリーンルーム用照明器具を用いたクリーンルーム用照明方法であって、クリーンルーム用の照明光源を個々にＯＮ／ＯＦＦするものである。
【０００７】
また、この発明に係るクリーンルーム用照明器具は、照明光源を有するクリーンルーム用照明ユニットと、クリーンルーム用照明ユニットに個々に取り付けられるクリーンルーム用スイッチユニットとを備え、クリーンルーム用照明ユニットの電線に接続され照明光源のＯＮ／ＯＦＦを切替えるプルダウンスイッチと、プルダウンスイッチに設けられ自身が引っ張られることで当該プルダウンスイッチの動作を切替えるプルダウン紐と、プルダウン紐を挿通可能な挿通孔を有しプルダウンスイッチを収納するパーティクル防止ボックスとを備えたものである。
【発明の効果】
【０００８】
この発明によれば、上記のように構成したので、無駄な電力の発生がなくなり、節電を図ることができる。
【図面の簡単な説明】
【０００９】
【図１】この発明の実施の形態１に係るクリーンルーム用照明器具の構成を示す分解図である。
【図２】この発明の実施の形態１に係るクリーンルーム用照明器具の設置例を示す図である。
【図３】この発明の実施の形態１におけるパーティクル防止ボックスのケースの構成を示す図であり、（ａ）側面図であり、（ｂ）下面図であり、（ｃ）上面図である。
【図４】この発明の実施の形態１におけるパーティクル防止ボックスの蓋の構成を示す図であり、（ａ）上面図であり、（ｂ）側面図である。
【図５】この発明の実施の形態１に係るクリーンルーム用照明器具の別の構成を示す図である。
【図６】この発明の実施の形態１におけるパーティクルブロックの別の構成を示す図であり、（ａ）側面図であり、（ｂ）上面図である。
【図７】この発明の実施の形態１におけるパーティクルブロックの別の構成を示す図である。
【図８】従来の照明器具の構成を示す図であり、（ａ）側面図であり、（ｂ）正面図である。
【発明を実施するための形態】
【００１０】
以下、この発明の実施の形態について図面を参照しながら詳細に説明する。
実施の形態１．
図１はこの発明の実施の形態１に係るクリーンルーム用照明器具の構成を示す分解図であり、図２はクリーンルーム照明器具の設置例を示す図である。
クリーンルーム用照明器具は、図１，２に示すように、クリーンルーム内の天井に設置される照明ユニット（クリーンルーム用照明ユニット）１と、照明ユニット１に個々に取り付けられるスイッチユニット（クリーンルーム用スイッチユニット）２とから構成されている。そして、クリーンルーム内の照明光源を個々にＯＮ／ＯＦＦすることで、局所照明を可能としたものである。
ここで、照明ユニット１は、一般的なクリーンルーム用の照明ユニットであり、図１に示すように、蛍光灯（照明光源）１１と、当該蛍光灯１１を取り付けるための取付部１２と、取付部１２に取り付けられ、パーティクルの堆積を防止するための透明カバー１３と、電線１４と、取付部１２の側面に設けられ、電線１４を挿通可能とする電源用ノック１５とを備えている。
【００１１】
また、スイッチユニット２は、プルダウンスイッチ２１、プルダウン紐２２、パーティクル防止ボックス２３、パーティクルブロック２４および引張札２５を備えている。
【００１２】
プルダウンスイッチ２１は、照明ユニット１の電線１４に接続され、蛍光灯１１のＯＮ／ＯＦＦを切替えるものである。
【００１３】
プルダウン紐２２は、プルダウンスイッチ２１に設けられ、自身が引っ張られることでプルダウンスイッチ２１の動作を切替えるものである。また、プルダウン紐２２は、パーティクルの発生を防止するためビニール製とする。
【００１４】
パーティクル防止ボックス２３は、プルダウンスイッチ２１を収納するものである。このパーティクル防止ボックス２３は、例えば図３，４に示すように、下面に開口２６１を有するケース２６と、ケース２６の下面に取り付けられる蓋２７とから構成されている。このケース２６の上面には、ケース２６を天井３に取り付けるための取付孔２６２が設けられている。また、ケース２６の側面には、蛍光灯１１の電線１４を挿通可能とする挿通孔２６３が設けられている。また、ケース２６の下面には、蓋２７を取り付け可能とする取付孔２６４が設けられている。一方、蓋２７には、略中央にプルダウン紐２２を挿通可能とする挿通孔２７１が設けられ、端には蓋２７をケース２６の下面に取り付けるための取付孔２７２が設けられている。また、ケース２６と蓋２７との間は、パッキン２８によりシールされる。
【００１５】
パーティクルブロック２４は、挿通孔２７１からのパーティクルを受け止め、下に落ちないようにするためのものである。このパーティクルブロック２４としては、例えば、プルダウン紐２２に構成された結び目（例えばパーフェクションノット）２４１を用いる。なお、この結び目２４１には、１本の紐の途中に輪を作る結び目と、２本の紐を結ぶことで作る結び目とがある。
【００１６】
引張札２５は、プルダウン紐２２の端部に結ばれ、使用者によるプルダウンスイッチ２１を介した蛍光灯１１のＯＮ／ＯＦＦ切替えを可能とするものである。なお、引張札２５を蓄光式とすることで、見易さ及び停電対策を兼ねることができる。
【００１７】
次に、上記のように構成されたクリーンルーム用照明器具の取り付け作業について説明する。なお以下では、天井３に既に照明ユニット１が取り付けられており、既設の照明ユニット１にスイッチユニット２を取り付ける場合を例に説明を行う。
クリーンルーム用照明器具の取り付け作業では、まず、既設の照明ユニット１から透明カバー１３を取り外して、蛍光灯１１を取り外す。
【００１８】
次いで、パーティクル防止ボックス２３のケース２６を、照明ユニット１の電源用ノック１５側の側面に挿通孔２６３を対向させるように隣接させて、天井３に突き当てる。
次いで、パーティクル防止ボックス２３のケース２６に設けられた取付孔２６２を介して、天井３に下穴を開け、当該ケース２６を天井３にタッピングねじで取り付ける。
【００１９】
次いで、パーティクル防止ボックス２３のケース２６の挿通孔２６３にブッシングを取り付ける。
次いで、照明ユニット１の電線１４を電源用ノック１５及び挿通孔２６３を介してケース２６内に引き出す。
次いで、パーティクル防止ボックス２３内にプルダウンスイッチ２１を収納し、照明ユニット１の電線１４と接続する。
【００２０】
次いで、パーティクル防止ボックス２３のケース２６に蓋２７を取付孔２６４，２７２を介してねじにより取り付ける。この際、蓋２７の挿通孔２６３にプルダウン紐２２を通す。また、ケース２６と蓋２７との間はパッキン２８によりシールされる。
次いで、プルダウン紐２２にパーフェクションノットにより結び目２４１を作ることでパーティクルブロック２４を構成する。
次いで、プルダウン紐２２に引張札２５を取り付ける。
【００２１】
以上のように、この実施の形態１によれば、照明ユニット１に、プルダウンスイッチ２１を用い、クリーン対応かつ換気性能の維持が可能なスイッチユニット２を取り付けるように構成したので、個々の蛍光灯１１をＯＮ／ＯＦＦすることが可能となり、無駄な電力の発生がなくなり、節電を図ることができる。
【００２２】
なお上記では、照明ユニット１とは別に、プルダウンスイッチ２１を収納するパーティクル防止ボックス２３を設けた場合について示した。しかしながら、これに限るものではなく、例えば図５に示すように、照明ユニット１とプルダウンスイッチ２１をともに収納するパーティクル防止ボックス２３ｂを設けてもよい。
【００２３】
また上記では、パーティクルブロック２４として結び目２４１を用いた場合について示したが、この結び目２４１の上にさらにビーズ状部材２４２を取り付けるようにしてもよい（図６，７参照）。
【００２４】
また、本願発明はその発明の範囲内において、実施の形態の任意の構成要素の変形、もしくは実施の形態の任意の構成要素の省略が可能である。
【符号の説明】
【００２５】
１  照明ユニット（クリーンルーム用照明ユニット）
２  スイッチユニット（クリーンルーム用スイッチユニット）
３  天井
１１  蛍光灯（照明光源）
１２  取付部
１３  透明カバー
１４  電線
１５  電源用ノック
２１  プルダウンスイッチ
２２  プルダウン紐
２３，２３ｂ  パーティクル防止ボックス
２４  パーティクルブロック
２５  引張札
２６  ケース
２７  蓋
２８  パッキン
２４１  結び目
２４２  ビーズ状部材
２６１  開口
２６２，２６４，２７２  取付孔
２６３，２７１  挿通孔
【図１】
2014219111.tif 000003
【図２】
2014219111.tif 000004
【図３】
2014219111.tif 000005
【図４】
2014219111.tif 000006
【図５】
2014219111.tif 000007
【図６】
2014219111.tif 000008
【図７】
2014219111.tif 000009
【図８】
2014219111.tif 000010